(57)【要約】【課題】  検出対象電圧から２系統の電圧を発生させ、この２系統の電圧を比較することによって動作する電圧変動検出回路において、検出感度を任意に設定可能とすること。【解決手段】  電圧発生器１０で発生した電圧の上昇または下降を検出する電圧変動検出回路１１は、フィルタ１２，１３と、電圧比較器１４と、抵抗Ｒ３，Ｒ４とを備えている。フィルタ１２は、入力端がＩＮに接続され、出力端がＮＩＮに接続され、入力端と出力端との間に接続された抵抗Ｒ１と、出力端と接地間に接続されたコンデンサＣ１とを備えている。フィルタ１３は、入力端がＩＮに接続され、出力端がＰＩＮに接続され、入力端と出力端との間に接続された抵抗Ｒ２と、出力端と接地間に接続されたコンデンサＣ２とを備えている。フィルタ１２の出力端と基準電圧ＶＤＤとの間には抵抗Ｒ３を備え、フィルタ１３の出力端と接地間には抵抗Ｒ４を備えている。【選択図】  図１
2005147807.tif 000002
【特許請求の範囲】
【請求項１】
電圧の上昇または下降を検出する電圧変動検出回路であって、
検出対象電圧を入力とし、抵抗とコンデンサとから構成される第１のフィルタと、前記検出対象電圧を入力とし、抵抗とコンデンサとから構成され、前記第１のフィルタとは周波数特性の異なる第２のフィルタとを備え、前記第１のフィルタ出力は電圧比較器の一方の入力端に、前記第２のフィルタ出力は前記電圧比較器のもう一方の入力端にそれぞれ接続され、前記第１のフィルタ出力と所定の基準電圧との間に接続された抵抗と、前記第２のフィルタ出力と接地間に接続された抵抗とを備えたことを特徴とする電圧変動検出回路。
【請求項２】
電圧の上昇または下降を検出する電圧変動検出回路であって、
検出対象電圧を入力とし、抵抗とコンデンサとから構成される第１のフィルタと、前記検出対象電圧を入力とし、抵抗とコンデンサとから構成され、前記第１のフィルタとは周波数特性の異なる第２のフィルタとを備え、前記第１のフィルタ出力は電圧比較器の一方の入力端に、前記第２のフィルタ出力は前記電圧比較器のもう一方の入力端にそれぞれ接続され、前記電圧比較器は、任意の入力オフセット電圧を有することを特徴とする電圧変動検出回路。
【請求項３】
前記基準電圧の発生後に、前記電圧比較器の動作を遅延させて開始することを特徴とする、請求項１又は２に記載の電圧変動検出回路。
【発明の詳細な説明】
【技術分野】
【０００１】
本発明は、電圧変動検出回路に関し、より詳細には、検出感度を任意に設定するのに適した電圧変動検出回路に関する。
【背景技術】
【０００２】
従来、電圧の上昇または下降を検出する回路として、検出対象電圧から２系統の電圧を発生させ、この２系統の電圧を比較することによって検出対象電圧の上昇または下降を検出する回路が提案されている。以下、従来の電圧変動検出回路について具体的に説明する。
【０００３】
図７は、従来の電圧変動検出回路の一例を示す回路図で、これは電圧発生器７０で発生した電圧の上昇または下降を検出する電圧変動検出回路を示している。電圧変動検出回路７１は、フィルタ７２，７３と、電圧比較器７４と、抵抗Ｒ７，Ｒ８とを備えている。電圧変動検出回路７１の入力端をＩＮ、電圧変動検出回路７１の出力端をＯＵＴ、電圧比較器７４の反転入力端（−）をＮＩＮ、電圧比較器７４の非反転入力端（＋）をＰＩＮとそれぞれ表記する。また、端子ＩＮの電圧をＶｉｎ、端子ＮＩＮの電圧をＶｎ、端子ＰＩＮの電圧をＶｐと表記する。さらに、Ｖｉｎが一定値で変動しない場合、ならびにＶｉｎが変動しているがその変動のレベルが小さい場合で、Ｖｎ，Ｖｐがほぼ一定値で電圧変動が検出されていない状態を、定常状態と表記する。
【０００４】
フィルタ７２は、入力端がＩＮに接続され、出力端がＮＩＮに接続され、入力端と出力端との間に接続されたＲ５と、出力端と接地間に接続されたコンデンサＣ３とを備えており、１次のローパスフィルタ回路として機能する。フィルタ７３は、入力端がＩＮに接続され、出力端がＰＩＮに接続され、入力端と出力端との間に接続されたＲ６と、出力端と接地間に接続されたコンデンサＣ４とを備えており、１次のローパスフィルタ回路として機能する。フィルタ７２とフィルタ７３は、互いの時定数が異なるようにそれぞれの抵抗とコンデンサの値が選択されている。
【０００５】
さらに、フィルタ７２の出力端と接地間には抵抗Ｒ７を備え、フィルタ７２の出力レベルは、Ｖｉｎが一定値の場合Ｖｉｎ×Ｒ７／（Ｒ５＋Ｒ７）で表される値となる。また、フィルタ７３の出力端と接地間には抵抗Ｒ８を備え、フィルタ７３の出力レベルは、Ｖｉｎが一定値の場合Ｖｉｎ×Ｒ８／（Ｒ６＋Ｒ８）で表される値となる。ここで、定常状態では、端子ＮＩＮに接続されているフィルタ７２の出力レベルの方が、端子ＰＩＮに接続されているフィルタ７３の出力レベルよりも高いレベルとなるように設定される。このような設定は、抵抗Ｒ５，Ｒ７，Ｒ６，Ｒ８の値を適切に選択することによって行うことができる。また、電圧発生器７０の出力端はＩＮに接続され、電圧比較器７４の出力端はＯＵＴに接続されている。
【０００６】
以下、図７に示した電圧変動検出回路を用いて、検出対象電圧の上昇を検出する場合の動作について説明する。  
電圧変動検出回路７１において、フィルタ７２はその時定数が十分大きくなるように、またフィルタ７３はその時定数がフィルタ７２の時定数よりも小さくなるように、フィルタ７２，７３の抵抗ならびにコンデンサの値を設定する。
【０００７】
上述したように、定常状態では、端子ＮＩＮの電圧Ｖｎの方が、端子ＰＩＮの電圧Ｖｐよりも高いレベルとなっている。これにより、電圧比較器７４の出力は“０”で安定している。Ｖｉｎのレベルが急激に上昇した場合、時定数の十分大きいフィルタ７２の出力電圧であるＶｎはほとんど変化せず、フィルタ７３の出力電圧であるＶｐはその時定数分だけ遅れてＶｉｎに追従して上昇する。ＶｐがＶｎ以上に達すると、電圧比較器７４の出力が反転し、“１”となる。以上の動作により、Ｖｉｎの上昇を検出することができる。
【０００８】
次に、図７に示した電圧変動検出回路を用いて、検出対象電圧の下降を検出する場合の動作について説明する。  
電圧変動検出回路７１において、フィルタ７３はその時定数が十分大きくなるように、またフィルタ７２はその時定数がフィルタ７３の時定数よりも小さくなるように、フィルタ７２，７３の抵抗ならびにコンデンサの値を設定する。
【０００９】
定常状態では、前述の電圧上昇を検出する場合と同様に、電圧比較器７４の出力は“０”で安定している。Ｖｉｎのレベルが急激に下降した場合、時定数の十分大きいフィルタ７３の出力電圧であるＶｐはほとんど変化せず、フィルタ７２の出力電圧であるＶｎはその時定数分だけ遅れてＶｉｎに追従して下降する。ＶｎがＶｐ以下に達すると、電圧比較器７４の出力が反転し、“１”となる。以上の動作により、Ｖｉｎの下降を検出することができる。
【００１０】
ここで、Ｖｉｎが一定値の場合のＶｎとＶｐとの電圧差は、電圧比較器７４の動作の安定性に関するとともに、Ｖｉｎの変動を検出する感度も決めている。具体的には、ＶｎとＶｐとの電圧差が大きくなるほど、定常状態では電圧比較器７４は安定して“０”を出力するが、Ｖｉｎの変動を検出する感度は鈍くなる。逆に、Ｖｉｎが一定値の場合のＶｎとＶｐとの電圧差が小さくなるほど、Ｖｉｎの変動を検出する感度は良くなるが、定常状態での電圧比較器７４出力は不安定になる。Ｖｉｎが一定値の場合のＶｎとＶｐの値は、上述したように、抵抗Ｒ５，Ｒ７，Ｒ６，Ｒ８の値を変更することによって調整可能であり、その調整範囲はどちらもゼロからＶｉｎまでである。したがって、ＶｎとＶｐとの電圧差のとり得る範囲も、ゼロからＶｉｎまでとなる。
【００１１】
【特許文献１】特開２００３―６１３５１号公報
【発明の開示】
【発明が解決しようとする課題】
【００１２】
上述したように、電圧Ｖｉｎが一定値の場合の、電圧ＶｎとＶｐとの電圧差は、ゼロからＶｉｎまでの範囲で調整可能である。ところが、Ｖｉｎにパルス状のノイズが含まれていたり、Ｖｉｎ自身の変動幅が大きかったりして、上述した調整範囲では足りず、定常状態でも電圧変動を誤検出してしまう場合がある。この場合、時定数の小さい側のフィルタの時定数を大きくして、電圧の変動幅を小さくし、誤検出を防止するという調整は可能であるが、フィルタの時定数を精度よく調整するのは容易ではない。そこで、Ｖｉｎが一定値の場合のＶｎとＶｐとの電圧差をさらに広範囲に設定できると便利である。
【００１３】
本発明は、このような問題に鑑みてなされたもので、その目的とするところは、検出対象電圧から２系統の電圧を発生させ、この２系統の電圧を比較することによって検出対象電圧の上昇または下降を検出する回路において、定常状態における２系統の電圧の差を任意に設定可能とした電圧変動検出回路を提供することにある。
【課題を解決するための手段】
【００１４】
本発明は、このような目的を達成するためになされたもので、請求項１に記載の発明は、電圧の上昇または下降を検出する電圧変動検出回路であって、検出対象電圧を入力とし、抵抗とコンデンサとから構成される第１のフィルタと、前記検出対象電圧を入力とし、抵抗とコンデンサとから構成され、前記第１のフィルタとは周波数特性の異なる第２のフィルタとを備え、前記第１のフィルタ出力は電圧比較器の一方の入力端に、前記第２のフィルタ出力は前記電圧比較器のもう一方の入力端にそれぞれ接続され、前記第１のフィルタ出力と所定の基準電圧との間に接続された抵抗と、前記第２のフィルタ出力と接地間に接続された抵抗とを備えたことを特徴とする。
【００１５】
また、請求項２に記載の発明は、電圧の上昇または下降を検出する電圧変動検出回路であって、検出対象電圧を入力とし、抵抗とコンデンサとから構成される第１のフィルタと、前記検出対象電圧を入力とし、抵抗とコンデンサとから構成され、前記第１のフィルタとは周波数特性の異なる第２のフィルタとを備え、前記第１のフィルタ出力は電圧比較器の一方の入力端に、前記第２のフィルタ出力は前記電圧比較器のもう一方の入力端にそれぞれ接続され、前記電圧比較器は、任意の入力オフセット電圧を有することを特徴とする。
【００１６】
また、請求項３に記載の発明は、請求項１又は２に記載の発明において、前記基準電圧の発生後に、前記電圧比較器の動作を遅延させて開始することを特徴とする。
【発明の効果】
【００１７】
以上説明したように、本発明の電圧変動検出回路によれば、周波数特性の異なる２つのフィルタの出力レベル範囲が、一方はフィルタ入力値からある基準電圧値まで、他方はフィルタ入力値からゼロまでになるように構成されているため、２つのフィルタの出力レベル差の範囲は、ゼロからある基準電圧値まで任意に設定することが可能である。一方、従来の電圧変動検出回路では、周波数特性の異なる２つのフィルタの出力レベル範囲が、どちらもフィルタ入力値からゼロまでになるように構成されているため、２つのフィルタの出力レベル差の範囲は、ゼロからフィルタ入力値までであった。つまり、本発明の電圧変動検出回路において、ある基準電圧値としてフィルタ入力値より大きい値を用いることにより、２つのフィルタの出力レベル差の範囲を従来の回路より広くすること、つまり、検出感度の調整範囲を広くすることが可能である。
【００１８】
さらに、請求項３に係る電圧変動検出回路によれば、システム立ち上げ後、全ての電圧が通常時の状態に安定してから検出回路による比較を開始するため、システム立ち上げ中の誤動作を起こさずに検出回路を動作させることができる。
【発明を実施するための最良の形態】
【００１９】
以下、図面を参照して本発明の実施の形態について説明する。  
（実施形態１）
図１は、本発明に係る電圧変動検出回路の実施形態１を説明するための回路図で、図中符号１０は電圧発生器、１１は電圧変動検出回路、１２，１３はフィルタ、１４は電圧比較器を示している。
【００２０】
電圧発生器１０で発生した電圧の上昇または下降を検出する電圧変動検出回路１１は、フィルタ１２，１３と、電圧比較器１４と、抵抗Ｒ３，Ｒ４とを備えている。電圧変動検出回路１１の入力端をＩＮ、電圧変動検出回路１１の出力端をＯＵＴ、電圧比較器１４の反転入力端（−）をＮＩＮ、電圧比較器１４の非反転入力端（＋）をＰＩＮとそれぞれ表記する。また、端子ＩＮの電圧をＶｉｎ、端子ＮＩＮの電圧をＶｎ、端子ＰＩＮの電圧をＶｐと表記する。
【００２１】
フィルタ１２は、入力端がＩＮに接続され、出力端がＮＩＮに接続され、入力端と出力端との間に接続されたＲ１と、出力端と接地間に接続されたコンデンサＣ１とを備えており、１次のローパスフィルタ回路として機能する。フィルタ１３は、入力端がＩＮに接続され、出力端がＰＩＮに接続され、入力端と出力端との間に接続されたＲ２と、出力端と接地間に接続されたコンデンサＣ２とを備えており、１次のローパスフィルタ回路として機能する。フィルタ１２とフィルタ１３は、互いの時定数が異なるようにそれぞれの抵抗とコンデンサの値が選択されている。
【００２２】
さらに、フィルタ１２の出力端と基準電圧ＶＤＤとの間には抵抗Ｒ３を備え、フィルタ１２の出力レベルは、Ｖｉｎが一定値の場合（Ｖｉｎ×Ｒ３＋ＶＤＤ×Ｒ１）／（Ｒ１＋Ｒ３）で表される値となる。また、フィルタ１３の出力端と接地間には抵抗Ｒ４を備え、フィルタ１３の出力レベルは、Ｖｉｎが一定値の場合Ｖｉｎ×Ｒ４／（Ｒ２＋Ｒ４）で表される値となる。抵抗Ｒ３，Ｒ４があるために、定常状態では、端子ＮＩＮに接続されているフィルタ１２の出力レベルは、常に端子ＰＩＮに接続されているフィルタ１３の出力レベルと同じかそれよりも高いレベルとなる。これらのレベルの設定は、抵抗Ｒ１，Ｒ３，Ｒ２，Ｒ４の値を適切に選択することによって行うことができる。また、電圧発生器１０の出力端はＩＮに接続され、電圧比較器１４の出力端はＯＵＴに接続されている。
【００２３】
以下、図１に示した電圧変動検出回路を用いて、検出対象電圧の上昇を検出する場合の動作について図２を用いて説明する。図２において、ＩＮ，ＮＩＮ，ＰＩＮ，ＯＵＴはそれぞれ図１の同じ名称の端子での波形を示している。
【００２４】
電圧変動検出回路１１において、フィルタ１２はその時定数が十分大きくなるように、またフィルタ１３はその時定数がフィルタ１２の時定数よりも小さくなるように、フィルタ１２，１３の抵抗ならびにコンデンサの値を設定する。
【００２５】
図２において、時刻ｔ０よりも前の状態、つまり定常状態では、端子ＮＩＮの電圧Ｖｎの方が、端子ＰＩＮの電圧Ｖｐよりも高いレベルとなっている。これにより、電圧比較器１４の出力は“０”で安定している。時刻ｔ０でＶｉｎのレベルが急激に上昇すると、時定数の十分大きいフィルタ１２の出力電圧であるＶｎはほとんど変化せず、フィルタ１３の出力電圧であるＶｐはその時定数分だけ遅れてＶｉｎに追従して上昇する。時刻ｔ１で、ＶｐがＶｎ以上に達すると、電圧比較器１４の出力が反転し、“１”となる。また、Ｖｉｎがもとの定常状態に復帰し、時刻ｔ２でＶｐがＶｎ以下に達すると、電圧比較器１４の出力は“０”に戻る。以上の動作により、Ｖｉｎの上昇を検出することができる。
【００２６】
次に、図１に示した電圧変動検出回路を用いて、検出対象電圧の下降を検出する場合の動作について、図３を用いて説明する。図３において、ＩＮ，ＮＩＮ，ＰＩＮ，ＯＵＴはそれぞれ図１の同じ名称の端子での波形を示している。
【００２７】
電圧変動検出回路１１において、フィルタ１３はその時定数が十分大きくなるように、またフィルタ１２はその時定数がフィルタ１３の時定数よりも小さくなるように、フィルタ１２，１３の抵抗ならびにコンデンサの値を設定する。
【００２８】
図３において、時刻ｔ３よりも前の状態、つまり定常状態では、前述の電圧上昇を検出する場合と同様に、電圧比較器１４の出力は“０”で安定している。時刻ｔ３でＶｉｎのレベルが急激に下降すると、時定数の十分大きいフィルタ１３の出力電圧であるＶｐはほとんど変化せず、フィルタ１２の出力電圧であるＶｎはその時定数分だけ遅れてＶｉｎに追従して、下降する。時刻ｔ４で、ＶｎがＶｐ以下に達すると、電圧比較器１４の出力が反転し、“１”となる。また、Ｖｉｎがもとの定常状態に復帰し、時刻ｔ５でＶｎがＶｐ以上に達すると、電圧比較器１４の出力は“０”に戻る。以上の動作により、Ｖｉｎの下降を検出することができる。
【００２９】
ここで、Ｖｉｎが一定値の場合のＶｎとＶｐとの電圧差は、電圧比較器１４の動作の安定性に関するとともに、Ｖｉｎの変動を検出する感度も決めている。具体的には、ＶｎとＶｐとの電圧差が大きくなるほど、定常状態では電圧比較器１４は安定して“０”を出力するが、Ｖｉｎの変動を検出する感度は鈍くなる。逆に、Ｖｉｎが一定値の場合のＶｎとＶｐとの電圧差が小さくなるほど、Ｖｉｎの変動を検出する感度は良くなるが、定常状態での電圧比較器１４出力は不安定になる。Ｖｉｎが一定値の場合のＶｎとＶｐの値は、前述のように抵抗Ｒ１，Ｒ３，Ｒ２，Ｒ４の値を変更することによって調整可能であり、Ｖｎの調整範囲はＶｉｎからＶＤＤまで、Ｖｐの調整範囲はゼロからＶｉｎまでである。したがって、基準電圧ＶＤＤの値をＶｉｎより大きく設定した場合、ＶｎとＶｐとの電圧差のとり得る範囲は、ゼロからＶＤＤまでとなり、従来の回路よりも広い範囲で電圧差を調整できる。
【００３０】
（実施形態２）
図４は、本発明に係る電圧変動検出回路の実施形態２を説明するための回路図で、図中符号４１電圧変動検出回路、４４は電圧比較器で、その他、図１と同じ機能を有する構成要素については同一の符号を付してある。
【００３１】
図１に示した電圧変動検出回路と比べ、電圧比較器１４が電圧比較器４４に置き換えられている点において異なる。電圧比較器４４は、電圧比較器１４の反転入力端（−）と電圧比較器１４の非反転入力端（＋）を入れ替えたものと等価である。つまり、電圧比較器４４の反転入力端（−）をＮＩＮ、電圧比較器４４の非反転入力端（＋）をＰＩＮとそれぞれ表記すると、フィルタ１２の出力端はＰＩＮに接続され、フィルタ１３の出力端はＮＩＮに接続される。その他の構成については、図１に示した電圧変動検出回路１１と同様であるので、重複する説明は省略する。
【００３２】
図４に示した電圧変動検出回路４１は、電圧比較器４４の入力の極性が図１の電圧変動検出回路と逆になるため、定常状態では電圧比較器４４の出力は“１”で安定し、Ｖｉｎのレベルが変化した時には、電圧比較器４４の出力は“０”となる。その他の動作に関しては、図１に示した電圧変動検出回路１１と同様である。
【００３３】
上述した電圧変動検出回路４１は、抵抗を用いて定常状態でのＶｎとＶｐの電圧レベルの設定を行うものであったが、任意の入力オフセット電圧を有する電圧比較器４４を作製することができれば、抵抗を用いる代わりにこの電圧比較器を用いて、ＶｎとＶｐの電圧レベルを設定してもよい。
【００３４】
図５及び図６は、検出対象電圧の上昇，下降を検出する場合を説明するためのタイミング図である。  
まず、図５は、検出対象電圧の上昇を検出する場合の、回路の電源投入直後の動作の一例を説明するタイミング図である。本例は、電圧比較器を駆動する電源と、基準電圧ＶＤＤが、共通の電源から供給されている場合の例である。以下、図１に示した電圧変動検出回路の形態を用いる場合として説明するが、図４に示した電圧変動検出回路の形態でも同様の説明が可能である。
【００３５】
図５において、ＩＮ，ＮＩＮ，ＰＩＮはそれぞれ図１の同じ名称の端子での波形を示している。時刻ｔ６までは電源が投入されず、回路全体も動作していないとする。この時、全ての電位がゼロに落ちた状態となっている。時刻ｔ６で、基準電圧ＶＤＤが投入され、同時に電圧発生器１０の動作も開始させるとする。するとＶｉｎ，Ｖｎ，Ｖｐは徐々に上昇し、最終的にある値で安定する。
【００３６】
ここで、回路全体が完全に動作した状態となるまでは、Ｖｉｎが検出すべきレベルにまで上昇することはないとする。すると、回路全体が完全に動作するまでは、端子ＮＩＮの電圧Ｖｎは、端子ＰＩＮの電圧Ｖｐよりも高いレベルにあることが期待される。
【００３７】
ところが、電圧の上昇を検出する場合は、上述したように、図１において、フィルタ１２の時定数はフィルタ１３の時定数よりも大きくなっている。したがって、Ｖｎの方がＶｐよりもゆっくりと上昇するため、最終的にＶｎがＶｐよりも高いレベルになるとしても、図５における時刻ｔ６から時刻ｔ７までの間のように、ある期間だけＶｎの方がＶｐよりも低いレベルとなることがある。したがって、時刻ｔ６から時刻ｔ７までの期間で電圧比較器１４が動作していると、電圧比較器は“１”を出力してしまい、誤動作となる。
【００３８】
この誤動作を防止するためには、時刻ｔ６から時刻ｔ７までの間、電圧比較器１４を動作させなければよい。つまり、基準電圧ＶＤＤを投入し、同時に電圧発生器１０の動作も開始させた後、ＶｎのレベルがＶｐのレベルよりも大きくなるまで待ち、それから電圧比較器１４の動作を開始させればよい。また、電圧比較器１４の動作開始前には、端子ＯＵＴの出力は“０”固定となるようにしておく必要がある。
【００３９】
次に、図６は、検出対象電圧の下降を検出する場合の、回路の電源投入直後の動作の一例を説明するタイミング図である。本例は、電圧比較器を駆動する電源と、基準電圧ＶＤＤが、共通の電源から供給されている場合の例である。以下、図１に示した電圧変動検出回路の形態を用いる場合として説明するが、図４の電圧変動検出回路の形態でも同様の説明が可能である。
【００４０】
図６において、ＩＮ，ＮＩＮ，ＰＩＮはそれぞれ図１の同じ名称の端子での波形を示している。時刻ｔ８までは電源が投入されず、回路全体も動作していないとする。この時、全ての電位がゼロに落ちた状態となっている。時刻ｔ８で、基準電圧ＶＤＤが投入され、電圧発生器１０の出力は、端子ＩＮを駆動していないオフ状態と呼ぶ状態にあるとし、時刻ｔ９までその状態が続くとする。電圧の下降を検出する場合は、上述したように、図１において、フィルタ１２の時定数はフィルタ１３の時定数よりも小さくなっているため、Ｖｎの方がＶｐよりもはやく上昇していき、またＶｎの方がＶｐよりも高いレベルにまで上昇していくため、Ｖｎの方がＶｐより低いレベルになるという誤動作状態は、時刻ｔ８から時刻ｔ９の期間には起こらない。
【００４１】
続いて、時刻ｔ９で、電圧発生器１０のオフ状態を解除し、動作を開始させるとする。この電圧発生器１０は、動作開始時に一旦出力がゼロとなり、そこから上昇していくとする。すると、時定数の小さいフィルタ１２の出力であるＶｎのレベルも時刻ｔ９で一旦ゼロ付近にまで下降し、そこから上昇していく。一方、時定数の大きいフィルタ１３の出力であるＶｐのレベルはほとんど変化せずにそのままゆっくりと上昇していくため、図６における時刻ｔ９からｔ１０までの間のように、ある期間だけＶｎの方がＶｐよりも低いレベルとなることがある。したがって、時刻ｔ９から時刻ｔ１０までの期間で電圧比較器１４が動作していると、電圧比較器は“１”を出力してしまい、誤動作となる。
【００４２】
この誤動作を防止するためには、時刻ｔ９から時刻ｔ１０までの間、電圧比較器１４を動作させなければよい。つまり、まず基準電圧ＶＤＤを投入し、次に、電圧発生器１０の動作を開始させた後、ＶｎのレベルがＶｐのレベルよりも大きくなるまで待ち、それから電圧比較器１４の動作を開始させればよい。また、電圧比較器１４の動作開始前には、端子ＯＵＴの出力は“０”固定となるようにしておく必要がある。
【００４３】
電圧比較器１４の動作を遅延させて開始する手段としては、あらかじめ遅延時間を設定し、その時間だけ電圧比較器１４の動作開始を遅延させればよい。遅延時間の設定方法としては、抵抗とコンデンサとで構成される時定数回路を別に備え、その抵抗とコンデンサの値を設定することで行ってもよいし、その他の適切な方法で行ってもよい。
【００４４】
電圧比較器１４の動作を遅延させて開始する他の手段として、端子ＮＩＮ，ＰＩＮを別に備えた電圧比較器に接続して前記電圧Ｖｎ，Ｖｐの値をモニターし、ＶｎとＶｐとの大小関係が逆転する交点を確認してから、電圧比較器１４の動作を開始させてもよい。さらに、以上の手段以外にも、電圧比較器１４の動作を適切に遅延させて開始する手段であれば、それを用いてもよい。
【００４５】
また、図５及び図６に示した例とは異なっても、電源投入後回路全体が安定する以前にフィルタ１２の出力がフィルタ１３の出力よりも低いレベルになり得るような全ての場合において、本発明は適用できる。
【００４６】
さらに、以上に示した各実施形態における電圧変動検出回路において、検出対象電圧を入力として、一方は検出対象電圧が変動してもほとんど変化せず、もう一方は検出対象電圧が変動するとそれに追従して変化する、という電圧を発生させる手段であれば、上述した手段として示した１次のローパスフィルタは、２次以上のローパスフィルタに変更してもよいし、ローパスではない周波数特性をもつフィルタに変更してもよい。それらの構成も、抵抗とコンデンサとで構成されるものでもよいし、オペアンプを含んだ構成のものでもよい。
【００４７】
また、以上に示した各実施形態における電圧変動検出回路において、接地端を、Ｖｉｎより小さい値の別の基準電源に変更してもよい。さらに、本発明の電源変動検出回路は、個別部品によって実現されてもよいし、半導体製造技術によって、半導体集積回路として実現されてもよい。
【産業上の利用可能性】
【００４８】
本発明は、検出感度を任意に設定するのに適した電圧変動検出回路に関し、検出対象電圧から２系統の電圧を発生させ、この２系統の電圧を比較することによって検出対象電圧の上昇または下降を検出する回路において、定常状態における２系統の電圧の差を任意に設定可能とした電圧変動検出回路を提供することができる。
【図面の簡単な説明】
【００４９】
【図１】本発明に係る電圧変動検出回路の実施形態１を説明するための回路図である。
【図２】図１に示した電圧変動検出回路を用いて検出対象電圧の上昇を検出する場合の動作を示すタイミング図である。
【図３】図１に示した電圧変動検出回路を用いて検出対象電圧の下降を検出する場合の動作を示すタイミング図である。
【図４】本発明に係る電圧変動検出回路の実施形態２を説明するための回路図である。
【図５】検出対象電圧の上昇を検出する場合を説明するタイミング図である。
【図６】検出対象電圧の下降を検出する場合を説明するタイミング図である。
【図７】従来の電圧下降検出回路の一例を示す回路図である。
【符号の説明】
【００５０】
１０  電圧発生器
１１，４１  電圧変動検出回路
１２，１３  フィルタ
１４，４４  電圧比較器
７０  電圧発生器
７１  電圧変動検出回路
７２，７３  フィルタ
７４  電圧比較器
【図１】
2005147807.tif 000003
【図２】
2005147807.tif 000004
【図３】
2005147807.tif 000005
【図４】
2005147807.tif 000006
【図５】
2005147807.tif 000007
【図６】
2005147807.tif 000008
【図７】
2005147807.tif 000009